(57)【特許請求の範囲】
【請求項１】
梱包品とともに外ケース内に収容される梱包材であって、
それぞれ前記外ケースの内側側面に沿うとともに前記梱包品の外側側面に対向する状態で配置される平板状の複数の縦板部と、
それぞれ前記複数の縦板部の表面から前記梱包品の前記外側側面へ向かって突出して形成された複数の側面緩衝部と、
前記梱包品における隣り合う２つの前記外側側面の間の縦稜部および前記縦稜部の両隣の前記外側側面の縁部に亘る部分に対向し、前記縦稜部に対向する位置において前記外ケースの底板上面に沿う下端から天板下面に沿う上端まで縦方向に隙間無く形成された主柱部を有する縦枠部と、を備え、
前記縦枠部が、隣接して配置される２つの前記縦板部の縁部の一方の表面から突出して形成された第１凸部および他方の表面から突出して形成された第２凸部の組合せにより構成されている、梱包材。
【請求項２】
前記縦枠部の前記主柱部は、複数の前記第１凸部の一部と複数の前記第２凸部の一部とが縦方向において隙間無く交互に並んだ積層構造を有している、請求項１に記載の梱包材。
【請求項３】
複数の前記第１凸部および複数の前記第２凸部が、それぞれ縦方向を目方向とする複数の板状の段ボール片が積層状態で接着された構造を有する積層段ボールである、請求項２に記載の梱包材。
【請求項４】
前記複数の縦板部が、屈曲部を境界として連なって形成されている、請求項１から請求項３のいずれか１項に記載の梱包材。
【請求項５】
前記複数の縦板部の少なくとも１つに対して屈曲部を境界として連なって形成され、前記梱包品の上面に対向する平板状の横板部と、
前記横板部の表面から前記梱包品の前記上面へ向かって突出して形成された上面緩衝部と、をさらに備える、請求項１から請求項４のいずれか１項に記載の梱包材。
【発明の詳細な説明】
【技術分野】
【０００１】
本発明は、梱包材に関する。
【背景技術】
【０００２】
一般に、段ボールなどの緩衝性の板材で形成された梱包材が、梱包品とともに直方体状の外ケースに収容される場合が多い。前記外ケースも、段ボールなどの緩衝性の板材で形成されている。前記梱包材は、前記梱包品と前記外ケースとの間に挿入され、前記梱包品を保護する。
【０００３】
前記梱包材が、前記梱包品における四方の側面の間の稜部に沿って縦方向に延びて形成された稜部用の縦枠部材を含む場合がある（例えば、特許文献１参照）。通常、前記縦枠部材は、いわゆるＬアングル状の部材である。
【０００４】
前記縦枠部材は、前記梱包品の前記稜部を保護するとともに、積み上げ荷重を支えて前記外ケースが潰れることを防ぐ。前記積み上げ荷重は、それぞれ前記梱包品を収容した複数の前記外ケースが積み上げられたときに上側の前記外ケースから下側の前記外ケースに加わる荷重である。
【０００５】
従来、前記縦枠部材は、前記梱包品の側面および上面をそれぞれ保護する側面用梱包材および上面用梱包材とは別個に用意される。
【先行技術文献】
【特許文献】
【０００６】
【特許文献１】特開平１０−１４７３２６号公報
【発明の概要】
【発明が解決しようとする課題】
【０００７】
ところで、梱包作業および開梱作業の簡素化のために、前記梱包材を構成する部品の数が少ないことが求められている。また、前記梱包作業の前および前記開梱作業の後に、前記梱包材がかさばらないことが望ましい。
【０００８】
本発明の目的は、構成部品の数が少なく、梱包作業の前および開梱作業の後にかさばらない梱包材を提供することにある。
【課題を解決するための手段】
【０００９】
本発明の一の局面に係る梱包材は、梱包品とともに外ケース内に収容される部材である。前記梱包材は、複数の縦板部と、複数の側面緩衝部と、縦枠部とを備える。前記複数の縦板部は、それぞれ前記外ケースの内側側面に沿うとともに前記梱包品の外側側面に対向する状態で配置される平板状の部分である。前記複数の側面緩衝部は、それぞれ前記複数の縦板部の表面から前記梱包品の前記外側側面へ向かって突出して形成された部分である。前記縦枠部は、前記梱包品における隣り合う２つの前記外側側面の間の縦稜部および前記縦稜部の両隣の前記外側側面の縁部に亘る部分に対向し、主柱部を有する部分である。前記主柱部は、前記縦稜部に対向する位置において前記外ケースの底板上面に沿う下端から天板下面に沿う上端まで縦方向に隙間無く形成された部分である。前記縦枠部が、隣接して配置される２つの前記縦板部の縁部の一方の表面から突出して形成された第１凸部および他方の表面から突出して形成された第２凸部の組合せにより構成されている。
【発明の効果】
【００１０】
本発明によれば、構成部品の数が少なく、梱包作業の前および開梱作業の後にかさばらない梱包材を提供することが可能になる。
【図面の簡単な説明】
【００１１】
【図１】図１は、第１実施形態に係る梱包材、梱包品および外ケースの斜視図である。
【図２】図２は、梱包品とともに外ケース内に収容された第１実施形態に係る梱包材の斜視図である。
【図３】図３は、第１実施形態に係る梱包材の展開斜視図である。
【図４】図４は、第１実施形態に係る梱包材の斜視図である。
【図５】図５は、第２実施形態に係る梱包材の展開斜視図である。
【図６】図６は、第２実施形態に係る梱包材の斜視図である。
【図７】図７は、第３実施形態に係る梱包材の斜視図である。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［第１実施形態］
第１実施形態に係る梱包材１は、画像形成装置などの梱包品９を梱包する部材である。例えば、梱包品９がプリンター、複写機、ファクシミリ装置または複合機であることが考えられる。
【００１４】
図１，２に示されるように、梱包材１は、梱包品９とともに外ケース８内に収容される。外ケース８は、梱包品９を収容する略直方体状の部材である。例えば、外ケース８は、折り曲げ加工によって箱状に形成される段ボール部材である。図２において、外ケース８は仮想線で示されている。
【００１５】
以下の説明において、梱包品９における隣り合う２つの外側側面９１の間の縦稜部９２および縦稜部９２の両隣の外側側面９１の縁部に亘る部分のことを縦稜部領域９２ａと称する。
【００１６】
梱包材１は、梱包品９における縦稜部領域９２ａおよび外側側面９１と外ケース８の内側側面８１との間に配置される。なお、図１，２において、梱包品９の底面９０と外ケース８の底板上面８０との間と、梱包品９の上面９３と外ケース８の天板下面８２との間とに配置される他の梱包材の表示が省略されている。
【００１７】
以下の説明において、梱包材１とは異なる従来の梱包材のことを参考梱包材と称する。前記参考梱包材は、梱包品９における四方の外側側面９１の間の縦稜部９２に沿って縦方向に延びて形成された縦稜部９２用の縦枠部材を含む場合がある。
【００１８】
前記参考梱包材において、前記縦枠部材は、梱包品９の縦稜部９２を保護するとともに、積み上げ荷重を支えて外ケース８が潰れることを防ぐ。前記縦枠部材は、梱包品９の外側側面９１および上面９３をそれぞれ保護する側面用梱包材および上面用梱包材とは別個に用意される。
【００１９】
ところで、梱包作業および開梱作業の簡素化のために、梱包材１を構成する部品の数が少ないことが求められている。また、前記梱包作業の前および前記開梱作業の後に、梱包材１がかさばらないことが望ましい。
【００２０】
梱包材１は、構成部品の数を少なくでき、さらに、前記梱包作業の前および前記開梱作業の後にかさばらない構造を有している。以下、梱包材１の構造について説明する。
【００２１】
梱包材１は、複数の縦板部１１，１２と、複数の側面緩衝部１６と、縦枠部１３とを備える。本実施形態において、複数の縦板部１１，１２は、１つの第１縦板部１１と２つの第２縦板部１２とを含む。
【００２２】
複数の縦板部１１，１２は、それぞれ外ケース８の内側側面８１に沿うとともに梱包品９の外側側面９１に対向する状態で配置される平板状の部分である。２つの第２縦板部１２は、それぞれ第１縦板部１１が対向する梱包品９の１つの外側側面９１の両隣の外側側面９１に対向する状態で配置される。
【００２３】
例えば、複数の縦板部１１，１２が、それぞれ平板状の段ボール部材であることが考えられる。図４に示されるように、複数の縦板部１１，１２は、屈曲部１ｐを境界として連なって形成されている。
【００２４】
即ち、図３に示されるように、複数の縦板部１１，１２含む平板状の１枚の母材が、第１縦板部１１と２つの第２縦板部１２各々との境界の折り目１ａに沿って折り曲げられる。これにより、折り目１ａに沿う屈曲部１ｐを境界として連なった複数の縦板部１１，１２が形成される。
【００２５】
複数の側面緩衝部１６は、それぞれ複数の縦板部１１，１２の表面から梱包品９の外側側面９１へ向かって突出して形成された部分である。複数の側面緩衝部１６は、第１縦板部１１に設けられた第１側面緩衝部１６ａと、第２縦板部１２に設けられた第２側面緩衝部１６ｂとを含む。
【００２６】
側面緩衝部１６各々は、梱包材１が外ケース８と梱包品９との間に挿入された状態において梱包品９の外側側面９１に沿う頭頂面１６ｐを有している。複数の側面緩衝部１６は、外ケース８に対して側方から加わる力に応じて潰れることにより、梱包品９の外側側面９１に加わる衝撃を緩和する。
【００２７】
側面緩衝部１６各々が、縦板部１１，１２各々の表面に接着された積層段ボールであることが考えられる。前記積層段ボールは、複数の板状の段ボール片が積層状態で接着された構造を有する。例えば、側面緩衝部１６各々が、縦板部１１，１２に平行な複数の前記段ボール片が積層された構造を有することが考えられる。また、側面緩衝部１６各々が、縦板部１１，１２に直行する平面に沿う複数の前記段ボール片が積層された構造を有することも考えられる。
【００２８】
縦枠部１３は、梱包品９の縦稜部領域９２ａに対向する部分である。図２，３に示されるように、縦枠部１３は、縦稜部９２に対向する位置において外ケース８の底板上面８０に沿う下端１３１から天板下面８２に沿う上端１３２まで縦方向に隙間無く形成された主柱部１３ａを有する。
【００２９】
縦枠部１３は、隣接して配置される第１縦板部１１および第２縦板部１２の縁部の表面から突出して形成された第１凸部１４および第２凸部１５の組合せにより構成されている。
【００３０】
梱包材１は、第１縦板部１１の縁部において縦方向に間隔を空けて並ぶ複数の第１凸部１４と、第２縦板部１２の縁部において縦方向に間隔を空けて並ぶ複数の第２凸部１５とを有する。複数の第１凸部１４および複数の第２凸部１５は、縦方向において交互に段違いの位置に設けられている。
【００３１】
なお、本実施形態において、複数の第１凸部１４の一部は、第１側面緩衝部１６ａと一連に形成されている。同様に、複数の第２凸部１５の一部は、第２側面緩衝部１６ｂと一連に形成されている。しかしながら、複数の第１凸部１４の全てが複数の第１側面緩衝部１６ａの全てと分離して形成されることも考えられる。同様に、複数の第２凸部１５の全てが複数の第２側面緩衝部１６ｂの全てと分離して形成されることも考えられる。
【００３２】
複数の縦板部１１，１２含む１枚の前記母材が、第１縦板部１１と第２縦板部１２との境界の折り目１ａに沿って折り曲げられると、複数の第１凸部１４の間に複数の第２凸部１５の一部１５ａが嵌り込むとともに、複数の第２凸部１５の間に複数の第１凸部１４の一部１４ａが嵌り込む。これにより、相互に嵌り合った複数の第１凸部１４の一部１４ａと複数の第２凸部１５の一部１５ａとが主柱部１３ａを形成する。
【００３３】
即ち、縦枠部１３の主柱部１３ａは、複数の第１凸部１４の一部１４ａと複数の第２凸部１５の一部１５ａとが縦方向において隙間無く交互に並んだ積層構造を有している（図３，４参照）。
【００３４】
主柱部１３ａは、複数の外ケース８が積み上げられたときに、前記積み上げ荷重を支えて外ケース８が潰れることを防ぐ。
【００３５】
例えば、複数の第１凸部１４および複数の第２凸部１５が、それぞれ第１縦板部１１および第２縦板部１２に接着された前記積層段ボールであることが考えられる。この場合、第１凸部１４および第２凸部１５各々を構成する前記積層段ボールは、縦方向を目方向とする複数の前記段ボール片が積層状態で接着された構造を有する。これにより、縦方向の外力に対して強固な主柱部１３ａが構成される。なお、前記目方向は、段ボールのトラス構造における空洞の長手方向である。
【００３６】
また、複数の第１凸部１４の残りの部分１４ｂおよび複数の第２凸部１５の残りの部分１５ｂは、梱包品９の縦稜部領域９２ａにおける縦稜部９２の両隣の部分に対向する。縦枠部１３における主柱部１３ａ以外の部分は、梱包品９の位置ずれを防ぐ。
【００３７】
梱包材１において、前記参考梱包材における前記縦枠部材の機能を発揮する縦枠部１３と複数の側面緩衝部１６とが一体に形成されている。そのため、梱包材１が採用されれば、構成部品の数を少なくすることができる。特に、複数の縦板部１１，１２が、屈曲部１ｐを境界として連なって形成されているため、構成部品の数がより少なくなる。
【００３８】
さらに、梱包材１は、比較的薄い平坦な形状の部品から梱包品９の複数の外側側面９１に対向する立体形状の完成品へ簡単に組み立てることができる。同様に、立体形状の梱包材１を簡単に平坦な形状の部品へ解体することができる。
【００３９】
従って、梱包材１は、梱包作業の前および開梱作業の後にかさばらない状態で保管および廃棄することができる。
【００４０】
また、本実施形態において、主柱部１３ａが、複数の第１凸部１４の一部１４ａと複数の第２凸部１５の一部１５ａとが縦方向において隙間無く交互に並んだ積層構造を有している。この場合、第１縦板部１１および第２縦板部１２を、縦方向における第１凸部１４と第２凸部１５との境界の位置で容易に折り曲げることができる。そのため、主柱部１３ａが長い場合であっても、梱包材１を容易によりコンパクトな状態へ解体して廃棄することができる。
【００４１】
［第２実施形態］
次に、図５，６を参照しつつ、第２実施形態に係る梱包材１Ｘについて説明する。梱包材１Ｘは、前述の梱包材１と比較して、縦枠部１３とは異なる構造の縦枠部１３ｘを備える点が異なる。
【００４２】
図５，６において、図１〜４に示される構成要素と同じ構成要素は、同じ参照符号が付されている。以下、梱包材１Ｘにおける梱包材１と異なる点について説明する。なお、図５，６において、第１縦板部１１の一部および２つの第２縦板部１２の一方が省略されている。
【００４３】
梱包材１Ｘの縦枠部１３ｘも、梱包材１の縦枠部１３と同様に、第１縦板部１１の縁部の表面から突出して形成された第１凸部１４ｘおよび第２縦板部１２の縁部の表面から突出して形成された第２凸部１５ｘの組合せにより構成されている。
【００４４】
しかしながら、梱包材１Ｘにおいて、第１凸部１４ｘは、外ケース８の底板上面８０に沿う下端１４１から天板下面８２に沿う上端１４２まで縦方向に隙間無く形成されている。本実施形態において、この第１凸部１４ｘの一部が主柱部１３ａである。
【００４５】
そして、第１凸部１４ｘの残りの部分１４ｂおよび第２凸部１５ｘは、梱包品９の縦稜部領域９２ａにおける縦稜部９２の両隣の部分に対向する。第１凸部１４ｘの残りの部分１４ｂおよび第２凸部１５ｘは、梱包品９の位置ずれを防ぐ。
【００４６】
梱包材１Ｘが採用される場合も、梱包材１が採用される場合と同様の効果が得られる。但し、梱包材１Ｘは、梱包材１に比べて縦方向において折り曲げにくい。
【００４７】
［第３実施形態］
次に、図７を参照しつつ、第３実施形態に係る梱包材１Ｙについて説明する。梱包材１Ｙは、前述の梱包材１に対して横板部１７および上面緩衝部１８が追加された構成を有している。
【００４８】
図７において、図１〜４に示される構成要素と同じ構成要素は、同じ参照符号が付されている。以下、梱包材１Ｙにおける梱包材１と異なる点について説明する。
【００４９】
横板部１７は、第１縦板部１１に対して屈曲部１ｑを境界として連なって形成され、梱包品９の上面９３に対向する平板状の部分である。
【００５０】
なお、横板部１７が、第２縦板部１１に対して屈曲部１ｑを境界として連なって形成されていることも考えられる。また、梱包材１Ｙが、第１縦板部１１および第２縦板部１１のそれぞれに対して屈曲部１ｑを境界として連なって形成された複数の横板部１７を備えることも考えられる。
【００５１】
第１縦板部１１および横板部１７を含む平板状の１枚の母材が、第１縦板部１１と横板部１７との境界の折り目１ｂに沿って折り曲げられる。これにより、折り目１ｂに沿う屈曲部１ｑを境界として連なった第１縦板部１１および横板部１７が形成される。
【００５２】
図７において、前記母材が折り目１ｂに沿って折り曲げられる前の横板部１７が実線で示され、前記母材が折り目１ｂに沿って折り曲げられた後の横板部１７が仮想線で示されている。
【００５３】
上面緩衝部１８は、横板部１７の表面から梱包品９の上面９３へ向かって突出して形成された部分である。例えば、上面緩衝部１８が、横板部１７の表面に接着された前記積層段ボールであることが考えられる。
【００５４】
梱包材１Ｙが採用される場合も、梱包材１が採用される場合と同様の効果が得られる。また、梱包材１Ｙが採用されれば、構成部品をより少なくすることができる。
【００５５】
[応用例]
以上に示された梱包材１，１Ｘ，１Ｙにおいて、第１縦板部１１および第２縦板部１２が独立した部材であることも考えられる。
【００５６】
また、梱包材１，１Ｘ，１Ｙにおいて、第１縦板部１１および第２縦板部１２に接着された発泡樹脂の部材が、側面緩衝部１６として採用されることも考えられる。この場合、第１凸部１４および第２凸部１５は、少なくとも縦方向の外力に対する強度が側面緩衝部１６よりも高くなるように、側面緩衝部１６とは異なる材料で構成されることが考えられる。
【００５７】
なお、本発明に係る梱包材は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００５８】
１，１Ｘ，１Ｙ：梱包材
１ａ，１ｂ：折り目
１ｐ，１ｑ：屈曲部
８      ：外ケース
９      ：梱包品
１１    ：第１縦板部
１２    ：第２縦板部
１３，１３ｘ：縦枠部
１３ａ  ：主柱部
１４，１４ｘ：第１凸部
１４ａ  ：第１凸部の一部
１４ｂ  ：第１凸部の残りの部分
１５，１５ｘ：第２凸部
１５ａ  ：第２凸部の一部
１５ｂ  ：第２凸部の残りの部分
１６    ：側面緩衝部
１６ａ  ：第１側面緩衝部
１６ｂ  ：第２側面緩衝部
１６ｐ  ：側面緩衝部の頭頂面
１７    ：横板部
１８    ：上面緩衝部
８０    ：外ケースの底板上面
８１    ：外ケースの内側側面
８２    ：外ケースの天板下面
９０    ：梱包品の底面
９１    ：梱包品の外側側面
９２    ：梱包品の縦稜部
９２ａ  ：梱包品の縦稜部領域
９３    ：梱包品の上面
１３１  ：主柱部の下端
１３２  ：主柱部の上端
１４１  ：第１凸部の下端
１４２  ：第１凸部の上端
【図１】
0006477583.tif 000002
【図２】
0006477583.tif 000003
【図３】
0006477583.tif 000004
【図４】
0006477583.tif 000005
【図５】
0006477583.tif 000006
【図６】
0006477583.tif 000007
【図７】
0006477583.tif 000008